(57)【要約】【課題】医用装置に装着され得る部品を個々に区別しつつ医用装置を適正に管理する。【解決手段】メンテナンス装置１０１は、個別の部品情報が付与された同種の複数の部品の１つを装着可能であるモダリティ１０４を管理する。メンテナンス装置１０１は、モダリティ１０４のために配送した部品に付与された部品情報を示した出荷情報を記憶した部品出荷管理データベース７に保守情報検索応答部８を介してアクセス可能である。メンテナンス装置１０１では、入力デバイス１を用いて保守作業者により入力される部品情報を情報取得部２により取得する。情報取得部２により取得された部品情報が部品出荷管理データベース７から読み出した出荷情報に示されているか否かに基づいて、入力された部品情報が付与された部品がモダリティ１０４に適合するか否かを部品検証部４が検証する。この検証の結果を、検証結果出力部５が表示デバイス６での表示によって出力する。【選択図】      図１
2005352656.tif 000002
【特許請求の範囲】
【請求項１】
個別の識別情報が付与された同種の複数の部品の１つを装着する医用装置を管理するもので、かつ前記医用装置に適合する前記部品の識別情報を示した適合情報を記憶する記憶媒体にアクセス可能な管理装置において、
前記部品に付与された前記識別情報を取得する手段と、
取得された前記識別情報が前記記憶媒体から読み出した前記適合情報に示されているか否かに基づいて、取得された前記識別情報が付与された前記部品が前記医用装置への装着に適合するか否かを検証する検証手段と、
前記検証の結果を出力する手段とを具備したことを特徴とする管理装置。
【請求項２】
個別の識別情報が付与された同種の複数の部品の１つを装着する医用装置を管理するもので、かつ前記医用装置に装着されている前記部品に付与された前記識別情報を示した装着状況情報を記憶する記憶媒体にアクセス可能な管理装置において、
前記医用装置に新たに装着された前記部品に付与された前記識別情報を取得する手段と、
取得された前記識別情報を含むように前記装着状況情報を更新する手段とを具備したことを特徴とする管理装置。
【請求項３】
個別の識別情報が付与された同種の複数の部品の１つを装着する医用装置を管理するもので、かつ前記医用装置に装着するために配送された前記部品に付与された前記識別情報を示した配送情報を記憶する記憶媒体にアクセス可能な管理装置において、
前記医用装置に装着された前記部品に付与された前記識別情報を取得する手段と、
取得された前記識別情報と前記記憶媒体から読み出した前記配送情報とに基づいて配送された前記部品が前記医用装置に装着されたか否かを判断する手段と、
前記判断の結果を出力する出力手段とを具備したことを特徴とする管理装置。
【請求項４】
個別の識別情報が付与された同種の複数の部品の１つを装着する医用装置に適合する前記部品の識別情報を示した適合情報を記憶する記憶媒体にアクセス可能なコンピュータを、前記医用装置を管理する管理装置として機能させる管理装置プログラムにおいて、
前記コンピュータを、
前記部品に付与された前記識別情報を取得する手段と、
取得された前記識別情報が前記記憶媒体から読み出した前記適合情報に示されているか否かに基づいて、取得された前記識別情報が付与された前記部品が前記医用装置への装着に適合するか否かを検証する検証手段と、
前記検証の結果を出力する手段として機能させることを特徴とする管理装置プログラム。
【請求項５】
個別の識別情報が付与された同種の複数の部品の１つを装着する医用装置に装着されている前記部品に付与された前記識別情報を示した装着状況情報を記憶する記憶媒体にアクセス可能なコンピュータを、前記医用装置を管理する管理装置として機能させる管理装置プログラムにおいて、
前記コンピュータを、
前記医用装置に新たに装着された前記部品に付与された前記識別情報を取得する手段と、
取得された前記識別情報を含むように前記装着状況情報を更新する手段として機能させることを特徴とする管理装置プログラム。
【請求項６】
個別の識別情報が付与された同種の複数の部品の１つを装着する医用装置に装着するために配送された前記部品に付与された前記識別情報を示した配送情報を記憶する記憶媒体にアクセス可能なコンピュータを、前記医用装置を管理する管理装置として機能させる管理装置プログラムにおいて、
前記コンピュータを、
前記医用装置に装着された前記部品に付与された前記識別情報を取得する手段と、
取得された前記識別情報と前記記憶媒体から読み出した前記配送情報とに基づいて配送された前記部品が前記医用装置に装着されたか否かを判断する手段と、
前記判断の結果を出力する出力手段として機能させることを特徴とする管理装置プログラム。
【発明の詳細な説明】
【技術分野】
【０００１】
本発明は、医用装置を、その保守・修理を支援するために管理する管理装置および管理装置プログラムに関する。
【背景技術】
【０００２】
医用装置の保守・修理のために、医用装置の現状構成を管理することが行なわれている。すなわち、管理対象となる医用装置の種類（ＣＴ，ＭＲＩ，ＵＳ等）、モデル、オプション構成（ＤＩＣＯＭ通信オプションや３Ｄオプション等の有無など）、装着している部品の情報（部品ＩＤやレビジョン）などを管理している。
【特許文献１】特開２０００−４８０６６
【特許文献２】特開２００３−２４２６９
【発明の開示】
【発明が解決しようとする課題】
【０００３】
ところが、従来管理している部品の情報は、部品の種類を識別する情報であって、同種の部品群の中のどの部品が医用装置に装着されているかを判断することはできなかった。
【０００４】
このため、ある医用装置に、他の医用装置のために発注された部品が装着されてしまったとしても、このような状況を検知することはできなかった。
【０００５】
また、ある種類の部品のうちの一部のみに不具合があるためにこの部品を交換する必要が生じた場合に、管理対象の医用装置に上記の交換すべき部品が装着されているか否かを判断することはできなかった。
【０００６】
本発明はこのような事情を考慮してなされたものであり、その目的とするところは、医用装置に装着され得る部品を個々に区別しつつ医用装置を適正に管理することを可能とすることにある。
【課題を解決するための手段】
【０００７】
以上の目的を達成するために本発明は、個別の識別情報が付与された同種の複数の部品の１つを装着する医用装置を管理するもので、かつ前記医用装置に適合する前記部品の識別情報を示した適合情報を記憶する記憶媒体にアクセス可能な管理装置に、前記部品に付与された前記識別情報を取得する手段と、取得された前記識別情報と前記記憶媒体から読み出した前記適合情報とに基づいて、取得された前記識別情報が付与された前記部品が前記医用装置への装着に適合するか否かを検証する検証手段と、前記検証の結果を出力する手段とを備えるようにした。
【０００８】
また前記の目的を達成するために別の本発明は、個別の識別情報が付与された同種の複数の部品の１つを装着する医用装置を管理するもので、かつ前記医用装置に装着されている前記部品に付与された前記識別情報を示した装着状況情報を記憶する記憶媒体にアクセス可能な管理装置に、前記医用装置に新たに装着された前記部品に付与された前記識別情報を取得する手段と、取得された前記識別情報を含むように前記装着状況情報を更新する手段とを備えるようにした。
【０００９】
また前記の目的を達成するために別の本発明は、個別の識別情報が付与された同種の複数の部品の１つを装着する医用装置を管理するもので、かつ前記医用装置に装着するために配送された前記部品に付与された前記識別情報を示した配送情報を記憶する記憶媒体にアクセス可能な管理装置に、前記医用装置に装着された前記部品に付与された前記識別情報を取得する手段と、取得された前記識別情報と前記記憶媒体から読み出した前記配送情報とに基づいて配送された前記部品が前記医用装置に装着されたか否かを判断する手段と、前記判断の結果を出力する出力手段とを備えるようにした。
【発明の効果】
【００１０】
本発明によれば、同種の複数の部品のそれぞれに個別に付与された識別情報に基づいて、部品の医用装置への適合性、医用装置への部品の装着状況、あるいは医用装置に装着するために配送された部品が医用装置に装着されたか否かを、同種の複数の部品の個々を区別して行うことができるので、医用装置に装着され得る部品を個々に区別しつつ医用装置を適正に管理することが可能となる。
【発明を実施するための最良の形態】
【００１１】
以下、図面を参照して本発明の実施形態について説明する。
【００１２】
（第１の実施形態）
図１は第１の実施形態に係る管理装置を適用して構成された医用装置管理システムを示す図である。  
この医用装置管理システムは、病院に設けられたメンテナンス装置１０１と、サービスセンタに設けられたセンタ装置２０１とを含む。メンテナンス装置１０１とセンタ装置２０１とは、ＬＡＮ１０２、ルータ１０３、ネットワーク３０１、ルータ２０２およびＬＡＮ２０３を介して通信可能である。ＬＡＮ１０２には、ＣＴ（computed tomography）装置、ＭＲＩ（magnetic resonance imaging）装置、あるいはＵＳ（ultrasound）装置などのモダリティ１０４が接続されている。このモダリティ１０４が医用装置管理システムでの管理対象となる。モダリティ１０４には、個々を識別可能な装置識別情報が付与されている。
【００１３】
装置識別情報としては例えば、モダリティ種別情報、モデル情報、オプション情報、バージョン情報、シリアル番号、システムＩＤ、あるいはサイトＩＤ（系列病院の通し番号）などを含む。システムＩＤとは、病院コードとモダリティの通し番号とから構成される。装置識別情報としては、このシステムＩＤが少なくとも有れば良い。これは、システムＩＤにより他の情報（モダリティ情報など）を検索できるからである。なお、モダリティの通し番号は、モダリティ毎でも、モダリティをまたいでも、どちらでも良い。モダリティ１０４は、交換可能な部品を備える。交換可能な部品は、ハードウェアモジュールや、ソフトウェア等である。この部品は、例えばＸ線管のような一つのユニットのみからなるものも、例えば複数の小検出器の組合せからなるＸ線検出器などのように複数のユニットからなるものも含む。交換可能な部品は、同種の部品の個々を識別可能な部品情報が付与されている。部品情報は例えば、部品の種類を識別可能とする部品ＩＤ、部品のレビジョンを識別可能とするレビジョン番号、ならびに同種の部品内で重複しないように付与されたシリアル番号とからなる。ここでは、部品情報は、部品ＩＤ、レビジョン番号、シリアル番号からなる例を説明しているが、同種の部品の個々を識別可能なものであれば良く、例えばシリアル番号のみであっても良い。
【００１４】
なお第１の実施形態では、メンテナンス装置１０１に本発明に係る管理装置が適用される。
【００１５】
メンテナンス装置１０１は、入力デバイス１、情報取得部２、保守情報検索要求部３、部品検証部４、検証結果出力部５および表示デバイス６を含む。
【００１６】
入力デバイス１は、各種の情報を入力する。入力デバイス１としては例えば、キーボード、バーコードリーダ、ＩＣカードリーダ、あるいはＯＣＲ（optical character reader）などが利用できる。情報取得部２は、入力デバイス１で入力された情報から、モダリティ１０４の装置識別情報やモダリティ１０４の部品に関する部品情報を取得する。
【００１７】
保守情報検索要求部３は、部品検証部４からの指示に応じてセンタ装置２０１へ保守情報の検索を要求する。保守情報検索要求部３は、要求に応答してセンタ装置２０１から送られる保守情報を受信する。なお第１の実施形態では、保守情報には部品の発注情報が含まれる。
【００１８】
部品検証部４は、情報取得部２で取得された装置識別情報に対応する保守情報の取得を保守情報検索要求部３に指示する。部品検証部４は、上記の指示に応じて保守情報検索要求部３が取得した保守情報と、情報取得部２で取得された部品情報とに基づいて、モダリティ１０４と部品との適合性を検証する。検証結果出力部５は、部品検証部４での検証の結果を表示デバイス６に表示させる。表示デバイス６は、ユーザに対して報知するべき各種の情報を表示する。表示デバイス６としては、例えば液晶表示器が利用できる。ユーザは、主としてモダリティ１０４の保守を行なうカスタマエンジニア（ＣＥ）である。
【００１９】
センタ装置２０１は、部品出荷管理データベース７および保守情報検索応答部８を含む。
【００２０】
部品出荷管理データベース７は、装置識別情報に対応付けて、その装置識別情報が付与されたモダリティ１０４に装着するために発注された部品の部品情報を記述した出荷情報を記憶する。保守情報検索応答部８は、保守情報検索要求部３からの要求に応じて、部品出荷管理データベース７から出荷情報を抽出する。保守情報検索応答部８は、抽出した出荷情報を保守情報検索要求部３へ送信する。
【００２１】
ところで、メンテナンス装置１０１またはセンタ装置２０１は、例えば汎用のコンピュータ装置、ＰＤＡ（Personal Digital Assistant）やサーバ装置を基本ハードウェアとして用いることができる。そして情報取得部２、保守情報検索要求部３、部品検証部４および検証結果出力部５や保守情報検索応答部８は、上記のコンピュータ装置、ＰＤＡやサーバ装置に搭載されたプロセッサにプログラムを実行させることにより実現することができる。このときにメンテナンス装置１０１またはセンタ装置２０１は、上記のプログラムが上記のコンピュータ装置、ＰＤＡやサーバ装置に予めインストールされて実現されても良いし、磁気ディスク（フロッピー(R)ディスクなど）、光磁気ディスク（ＭＯなど）、光ディスク（ＣＤ−ＲＯＭ、ＤＶＤ−ＲＯＭなど）、半導体メモリ（メモリカードなど）などのようなリムーバブルな記録媒体に記録して、あるいはネットワークを介して上記のプログラムを配布し、このプログラムをコンピュータ装置、ＰＤＡやサーバ装置に適宜インストールして実現されても良い。なお、上記の各部は、その一部または全てをロジック回路などのハードウェアにより実現することも可能である。また上記の各部のそれぞれは、ハードウェアとソフトウェア制御とを組合わせて実現することも可能である。部品出荷管理データベース７は、上記のコンピュータ装置、ＰＤＡやサーバ装置に内蔵されたメモリやハードディスク装置などの記憶デバイス、上記のコンピュータ装置、ＰＤＡやサーバ装置に外付けされたメモリやハードディスク装置などの記憶デバイス、さらには磁気ディスク（フロッピー(R)ディスクなど）、光磁気ディスク（ＭＯなど）、光ディスク（ＣＤ−ＲＷ、ＤＶＤ−ＲＷなど）などのようなリムーバブルな記録媒体などを適宜利用して実現することができる。
【００２２】
入力デバイス１や表示デバイス６は、メンテナンス装置１０１に外付けされる形態としてもよい。このときに入力デバイス１または表示デバイス６とメンテナンス装置１０１とは、ＲＳ２３２Ｃ、ＵＳＢ、ＩＥＥＥ１３９４などの伝送ケーブル、赤外線や電波による無線リンクによって接続が可能である。
【００２３】
次に以上のように構成された医用装置管理システムの動作について説明する。  
テクニカルアシスタントセンタ（ＴＡＣ）にいるカスタマエンジニアまたはサイトで作業しているカスタマエンジニアなどのような保守作業者は、モダリティ１０４に新たな部品を装着することが必要であると判断した場合、その必要な部品をサービスセンタへ発注する。この発注に応じてサービスセンタの係員は、部品を出荷する。このときにサービスセンタの係員は、出荷した部品の部品情報を、その部品の装着先となるモダリティ１０４の装置識別情報に対応付けた出荷情報を部品出荷管理データベースに登録する。
【００２４】
さて、配送された部品（以下、配送部品と称する）をモダリティ１０４に装着しようとする保守作業者は、メンテナンス装置１０１の部品検証機能を起動する。そうするとメンテナンス装置１０１は、図２に示すような処理を開始する。
【００２５】
続いて保守作業者は、配送部品を装着しようとするモダリティ１０４の装置識別情報を入力デバイス１を用いて入力する。そこでステップＳａ１においては情報取得部２が、入力デバイス１での入力情報を装置識別情報として取得する。なお、入力デバイス１としてバーコードリーダなどを用いれば、保守作業者による入力ミスを防止して、適正な情報取得が行える。
【００２６】
次に保守作業者は、配送部品の部品情報を入力デバイス１を用いて入力する。そこでステップＳａ２においては情報取得部２が、入力デバイス１での入力情報を部品情報として取得する。
【００２７】
ステップＳａ３においては部品検証部４および保守情報検索要求部３が、ステップＳａ１にて取得された装置識別情報に関する出荷情報を取得する。すなわち、部品検証部４は、情報取得部２により取得された装置識別情報についての出荷情報の取得を保守情報検索要求部３に指示する。保守情報検索要求部３はこの指示に応じて、センタ装置２０１へと上記装置識別情報についての出荷情報の検索を要求する。この要求に応じて保守情報検索応答部８は、上記の要求に示された装置識別情報に関する出荷情報を部品出荷管理データベース７から抽出し、保守情報検索要求部３へ送信する。そこで保守情報検索要求部３は、この出荷情報を受信する。
【００２８】
ステップＳａ４においては部品検証部４が、配送部品の部品情報と出荷情報に含まれた部品情報とを照合する。そしてステップＳａ５においては部品検証部４が、両部品情報が一致したか否かを確認する。部品検証部４は、両部品情報が一致するならば「適合」とし、一致しないならば「不適合」とした検証結果を検証結果出力部５へ出力する。
【００２９】
検証結果が「適合」とされているならば、ステップＳａ６において検証結果出力部５が、「配送部品が選択されているモダリティ１０４に適合すること」を通知するための表示を表示デバイス６に行なわせる。検証結果が「不適合」とされているならば、ステップＳａ７において検証結果出力部５が、「配送部品が選択されているモダリティ１０４に適合しない」ことを通知するための表示を表示デバイス６に行なわせる。
【００３０】
このように第１の実施形態によれば、入力デバイス１により入力された部品情報が付与された部品が、入力デバイス１により入力された装置識別情報が付与されたモダリティ１０４に装着するために発注されたものであるかどうかにより配送部品とモダリティ１０４との適合性が検証される。そして、この適合性の検証結果が表示デバイス６に表示される。従って、保守作業者は、表示デバイス６に表示される検証結果を確認することで、部品とモダリティ１０４との適合性を確実かつ容易に確認することができる。そして保守作業者が、適合することが確認できた場合にのみモダリティ１０４に部品を装着することで、異なるモダリティ１０４のために発注されたような不適切な部品を誤装着してしまうことが防止される。
【００３１】
（第２の実施形態）
図３は第２の実施形態に係る管理装置を適用して構成された医用装置管理システムを示す図である。なお、図１と同一部分には同一符号を付し、その詳細な説明は省略する。  
この医用装置管理システムは、病院に設けられたメンテナンス装置１０５と、サービスセンタに設けられたセンタ装置２０１とを含む。すなわち第２の実施形態の医用装置管理システムは、第１の実施形態におけるメンテナンス装置１０１に代えてメンテナンス装置１０５を備える。そして第２の実施形態では、このメンテナンス装置１０５に本発明に係る管理装置が適用される。
【００３２】
メンテナンス装置１０５は、入力デバイス１、情報取得部２、保守情報検索要求部３、部品検証部４、検証結果出力部５、表示デバイス６、装置別部品管理データベース９および保守情報処理部１０を含む。すなわちメンテナンス装置１０５は、メンテナンス装置１０１の構成に加えてさらに、装置別部品管理データベース９および保守情報処理部１０を備える。
【００３３】
装置別部品管理データベース９は、モダリティ１０４のそれぞれについて、現在装着されている部品の部品情報、使用期間／使用回数情報を記述した既設品情報や、過去に装着された部品の部品情報や交換履歴を記述した履歴情報を記憶する。
【００３４】
保守情報処理部１０は、装置別部品管理データベース９に記憶された情報を更新する。
【００３５】
メンテナンス装置１０５は、例えば汎用のコンピュータ装置、ＰＤＡやサーバ装置を基本ハードウェアとして用いることができる。そして保守情報処理部１０は、情報取得部２などと同様に実現することができる。また装置別部品管理データベース９は、部品出荷管理データベース７などと同様に実現することができる。
【００３６】
次に以上のように構成された医用装置管理システムの動作について説明する。  
配送部品をモダリティ１０４に装着しようとする保守作業者は、メンテナンス装置１０５の部品検証機能を起動する。そうするとメンテナンス装置１０５は、図４に示すような処理を開始する。なお図４において図２と同一の処理には同一の符号を付し、その処理の詳細な説明は省略する。
【００３７】
メンテナンス装置１０５は、ステップＳａ１およびステップＳａ２にて装置識別情報および部品情報を取得したならば、ステップＳｂ１へ進む。ステップＳｂ１においてメンテナンス装置１０５は、予め保守作業者により指定された入力モードを確認する。入力モードとして「配送部品モード」が指定されている場合にメンテナンス装置１０５は、ステップＳａ３乃至ステップＳａ７の処理を行なう。すなわち、入力モードとして「配送部品モード」が指定されているならば、メンテナンス装置１０５はメンテナンス装置１０１と全く同様な処理を行なう。
【００３８】
そこで保守作業者は、まず入力モードとして「配送部品モード」を指定して、モダリティ１０４に装着しようとする部品の適合性を確認する。そして適合することが確認できたならば、この部品をモダリティ１０４に装着する。続いて保守作業者は、入力モードとして「装着済み部品モード」を指定した上で、装置識別情報および部品情報を順次入力デバイス１を用いて入力する。
【００３９】
このように入力モードとして「装着済み部品モード」が指定されているならば、メンテナンス装置１０５はステップＳｂ１からステップＳｂ２へ進む。ステップＳｂ２においては保守情報処理部１０が、情報取得部２により取得された装置識別情報に対応する既設品情報を情報取得部２により取得された部品情報を含むように更新する。またこれにともなって保守情報処理部１０は、新たに装着された部品と同種の部品、すなわち交換のために取り外された部品についての部品情報を含むように履歴情報を更新する。
【００４０】
このように第２の実施形態によれば、第１の実施形態と同様に、異なるモダリティ１０４のために発注されたような不適切な部品を誤装着してしまうことを防止できる。
【００４１】
さらに第２の実施形態によれば、装置別部品管理データベース９に記憶される既設品情報には、各モダリティ１０４に現在装着されている部品の部品情報が記述される。従って、例えば保守作業者は、この既設品情報を確認することで、ある部品が複数のモダリティ１０４のいずれかに装着されているか否か、ならびに装着先のモダリティ１０４がいずれであるか等を判断することが可能となる。このため、特定の部品のみに不具合があることが判明した場合に、その部品がいずれのモダリティ１０４に装着されているかを保守作業者などが確実、かつ容易に確認することができ、上記のような不具合に迅速に対処することができる。
【００４２】
なお、配送部品の適合性を検証したのちに部品の装着完了が保守作業者により指定されたことに応じて、配送部品の部品情報を装着済み部品の部品情報として既設品情報を更新するようにし、装着済み部品の部品情報の取得を行わないようにしても良い。
【００４３】
（第３の実施形態）
図５は第３の実施形態に係る管理装置を適用して構成された医用装置管理システムを示す図である。なお、図１または図３と同一部分には同一符号を付し、その詳細な説明は省略する。  
この医用装置管理システムは、病院に設けられたメンテナンス装置１０６と、サービスセンタに設けられたセンタ装置２０４とを含む。そして第３の実施形態では、このメンテナンス装置１０６およびセンタ装置２０４にそれぞれ本発明に係る管理装置が適用される。
【００４４】
メンテナンス装置１０６は、入力デバイス１、情報取得部２、保守情報検索要求部３、部品検証部４、検証結果出力部５、表示デバイス６、保守情報送信部１１、未交換部品検出部１２および警告部１３を含む。すなわちメンテナンス装置１０６は、メンテナンス装置１０１の構成に加えてさらに、保守情報送信部１１、未交換部品検出部１２および警告部１３を備える。
【００４５】
保守情報送信部１１は、サービスセンタへ送信するべき保守情報を送信する。なお第３の実施形態では、保守情報としては情報取得部２で取得された部品情報が該当する。
【００４６】
未交換部品検出部１２は、モダリティ１０４のために発注されていながら当該モダリティ１０４に装着されていない部品を検出する。警告部１３は、未交換部品検出部１２により未装着の部品が検出された場合に、その旨を警告するための表示を表示デバイス６に表示させる。
【００４７】
センタ装置２０４は、部品出荷管理データベース７、保守情報検索応答部８、装置別部品管理データベース９、保守情報処理部１０および保守情報受信部１４を含む。すなわちセンタ装置２０４は、センタ装置２０１の構成に加えてさらに、装置別部品管理データベース９、保守情報処理部１０および保守情報受信部１４を備える。
【００４８】
保守情報受信部１４は、保守情報送信部１１から送信された保守情報を受信する。
【００４９】
装置別部品管理データベース９および保守情報処理部１０は、第２の実施形態ではメンテナンス装置１０５に備えられていたものである。ただし保守情報処理部１０は、保守情報受信部１４により受信された保守情報に基づいて既設品情報を更新する。
【００５０】
メンテナンス装置１０６またはセンタ装置２０４は、例えば汎用のコンピュータ装置、ＰＤＡやサーバ装置を基本ハードウェアとして用いることができる。そして保守情報送信部１１、未交換部品検出部１２、警告部１３および保守情報受信部１４は、情報取得部２などと同様に実現することができる。
【００５１】
次に以上のように構成された医用装置管理システムの動作について説明する。  
メンテナンス装置１０６の部品検証機能による処理は、第２の実施形態におけるメンテナンス装置１０５とほぼ同様にして行なわれる。ただし、入力モードとして「装着済み部品モード」が指定されているときに部品情報が入力されたならば、この部品情報と、装置識別情報とを含んだ保守情報が保守情報送信部１１によってセンタ装置２０４へ送信される。このときにセンタ装置２０４では、上記の保守情報を受信する。そして保守情報処理部１０が、保守情報受信部１４で受信された保守情報に基づいて、装置別部品管理データベース９に記憶された既設品情報を更新する。
【００５２】
さて、モダリティ１０４に装着するために発注されているのに未装着となっている部品がないかどうかを確認したい場合に保守作業者は、メンテナンス装置１０６の未交換部品検出機能を起動する。そうするとメンテナンス装置１０６は、図６に示すような処理を開始する。
【００５３】
ステップＳｃ１においては保守情報検索要求部３が出荷情報および既設品情報をセンタ装置２０４から取得する。ステップＳｃ２においては未交換部品検出部１２が、出荷情報に含まれ、既設品情報には含まれない部品情報を検索することによって、未交換部品を検索する。
【００５４】
ステップＳｃ３において未交換部品検出部１２は、未交換部品が有ったか否かを確認する。そして未交換部品が検出されたならば、ステップＳｃ４において警告部１３が、検出された部品が未交換であることを警告するための表示を表示デバイス６に行なわせる。これに対して、未交換部品が検出されなかったならば、ステップＳｃ５において警告部１３が、全ての部品が交換済みであることを通知するための表示を表示デバイス６に行なわせる。
【００５５】
このように第３の実施形態によれば、第１の実施形態と同様に、異なるモダリティ１０４のために発注されたような不適切な部品を誤装着してしまうことを防止できる。
【００５６】
また第３の実施形態によれば、第２の実施形態と同様に、ある部品が複数のモダリティ１０４のいずれかに装着されているか否か、ならびに装着先のモダリティ１０４がいずれであるか等を管理することが可能となる。ただし第３の実施形態では、第２の実施形態と異なり、このような管理をサービスセンタにおいて行なうことが可能である。
【００５７】
さらに第３の実施形態によれば、部品出荷管理データベース７に記憶される出荷情報と装置別部品管理データベース９に記憶される既設品情報とを利用して、未交換部品が検索され、未交換部品が有るならば、その旨を警告する表示が行なわれる。従って、保守作業者がこの表示を確認することで、モダリティ１０４に装着すべきであるのに未装着である部品があることを確実、かつ容易に知ることができる。
【００５８】
（第４の実施形態）
図７は第４の実施形態に係る管理装置を適用して構成された医用装置管理システムを示す図である。なお、図１、図３または図５と同一部分には同一符号を付し、その詳細な説明は省略する。  
この医用装置管理システムは、病院に設けられたメンテナンス装置１０７と、サービスセンタに設けられたセンタ装置２０５とを含む。そして第４の実施形態では、このセンタ装置２０５に本発明に係る管理装置が適用される。
【００５９】
メンテナンス装置１０７は、入力デバイス１、表示デバイス６、入力情報送信部１５および結果情報受信部１６を含む。
【００６０】
入力情報送信部１５は、入力デバイス１により入力された装置識別情報および部品情報をサービスセンタへ送信する。
【００６１】
結果情報受信部１６は、サービスセンタから送信される部品検証の結果情報を受信して、部品検証の結果を表示デバイス６に表示させる。
【００６２】
センタ装置２０５は、部品検証部４、部品出荷管理データベース７、装置別部品管理データベース９、保守情報処理部１０、未交換部品検出部１２、警告部１３、入力情報受信部１７および結果情報送信部１８を含む。すなわち、第１の実施形態乃至第３の実施形態でメンテナンス装置１０１，１０５，１０６に備えられていた部品検証部４がセンタ装置２０５に備えられている。また第３の実施形態でメンテナンス装置１０６に備えられていた未交換部品検出部１２および警告部１３がセンタ装置２０５に備えられている。
【００６３】
入力情報受信部１７は、入力情報送信部１５により送信された入力情報を受信することにより、部品検証部４や保守情報処理部１０で使用するための部品情報や装置識別情報を取得する。
【００６４】
結果情報送信部１８は、部品検証部４の検証結果を示す結果情報を病院へと送信することで、上記の検証結果を出力する。
【００６５】
メンテナンス装置１０７またはセンタ装置２０５は、例えば汎用のコンピュータ装置、ＰＤＡやサーバ装置を基本ハードウェアとして用いることができる。そして入力情報送信部１５、結果情報受信部１６、入力情報受信部１７および結果情報送信部１８は、情報取得部２などと同様に実現することができる。
【００６６】
次に以上のように構成された医用装置管理システムの動作について説明する。  
部品検証機能を実現するための処理は、センタ装置２０５にて行なわれる。センタ装置２０５における部品検証部４での処理は、入力情報受信部１７により取得された装置識別情報および部品情報に基づく以外は第１の実施形態とほぼ同様にして行なわれる。なお出荷情報は、部品出荷管理データベース７から部品検証部４が直接的に取得可能である。
【００６７】
保守情報処理部１０による既設品情報の更新処理は、入力情報受信部１７により取得された装置識別情報および部品情報に基づいて第２実施形態とほぼ同様にして行なわれる。
【００６８】
未交換部品検出部１２および警告部１３による未交換部品の警告処理は、第３の実施形態とほぼ同様にして行なわれる。なお出荷情報および既設品情報は、部品出荷管理データベース７および装置別部品管理データベース９から直接的に取得可能である。また、警告部１３は、サービスセンタに備えられた保守端末２０６に警告表示や交換済み表示に実行を指示する。
【００６９】
このように第４の実施形態では、配送部品の適合性の検証、既設品情報の更新、あるいは未交換部品の検索・警告の各機能を全てセンタ装置２０５における処理により実現することができる。
【００７０】
（第５の実施形態）
図８は第５の実施形態に係る管理装置を適用して構成された医用装置管理システムを示す図である。なお、図１、図３、図５または図７と同一部分には同一符号を付し、その詳細な説明は省略する。  
この医用装置管理システムは、病院に設けられたメンテナンス装置１０８と、サービスセンタに設けられたセンタ装置２０７とを含む。そして第５の実施形態では、このメンテナンス装置１０８およびセンタ装置２０７にそれぞれ本発明に係る管理装置が適用される。
【００７１】
メンテナンス装置１０８は、入力デバイス１、情報取得部２、保守情報検索要求部３、検証結果出力部５、表示デバイス６、保守情報送信部１１および部品検証部１９を含む。すなわちメンテナンス装置１０８は、これまでのいずれの実施形態にも含まれない要件として、部品検証部１９を備える。
【００７２】
センタ装置２０７は、部品出荷管理データベース７、保守情報検索応答部８、装置別部品管理データベース９、保守情報処理部１０、未交換部品検出部１２、警告部１３、保守情報受信部１４および装置構成管理データベース２０を含む。すなわちセンタ装置２０７は、これまでのいずれの実施形態にも含まれない要件として、装置構成管理データベース２０を備える。
【００７３】
装置構成管理データベース２０は、モダリティ１０４の種類毎に、どのような部品で構成されているかを記述した構成情報を記憶する。すなわち構成情報には、各モダリティ１０４に装着され得る部品の部品情報が記述される。ただし構成情報に含まれる部品情報は、部品ＩＤのみ、または部品ＩＤおよびレビジョン番号のみであって、シリアル番号は含まない。
【００７４】
部品検証部１９は、上記の構成情報をも考慮して部品の適合性の検証を行なうとともに、新しい部品を装着するためにモダリティ１０４から取り外された部品の検証をも行なう。
【００７５】
メンテナンス装置１０８またはセンタ装置２０７は、例えば汎用のコンピュータ装置、ＰＤＡやサーバ装置を基本ハードウェアとして用いることができる。そして部品検証部１９は情報取得部２などと同様に実現することができ、また装置構成管理データベース２０は部品出荷管理データベース７などと同様に実現することができる。
【００７６】
次に以上のように構成された医用装置管理システムの動作について図９乃至図１２を参照して説明する。なお図９は部品検証機能を実行する差異のメンテナンス装置１０８の処理手順を示すフローチャートである。図１０および図１１は、部品検証機能を利用してモダリティ１０４の部品交換を行なう作業手順を示すシーケンス図である。
【００７７】
モダリティ１０４に新たな部品を装着することが必要であると判断した場合に保守作業者は、その必要な部品をサービスセンタへ発注する。この発注に応じてサービスセンタの係員は、部品を出荷する。このときにサービスセンタの係員は、出荷した部品の部品情報を、その部品の装着先となるモダリティ１０４の装置識別情報に対応付けた出荷情報を部品出荷管理データベースに登録する。
【００７８】
病院へと配送された部品をモダリティ１０４に装着しようとする保守作業者は、メンテナンス装置１０８の部品検証機能を起動する。そうするとメンテナンス装置１０８は、図９に示す処理を開始する。
【００７９】
続いて保守作業者は、部品を装着しようとするモダリティ１０４の装置識別情報を入力デバイス１を用いて入力する。そこでステップＳｄ１においては情報取得部２が、入力デバイス１での入力情報を装置識別情報として取得する。
【００８０】
次に保守作業者は、装着しようとする部品の部品情報を入力デバイス１を用いて入力する。そこでステップＳｄ２においては情報取得部２が、入力デバイス１での入力情報を部品情報として取得する。ステップＳｄ３において情報取得部２は、予め保守作業者により指定された入力モードを確認する。入力モードとして「配送部品モード」が指定されている場合に情報取得部２は、ステップＳｄ３からステップＳｄ４へ進む。ステップＳｄ４において情報取得部２は、ステップＳｄ２で取得した部品情報を配送部品情報として保持する。
【００８１】
ステップＳｄ５においては部品検証部１９および保守情報検索要求部３が、ステップＳｄ１にて取得された装置識別情報に関する出荷情報を取得する。すなわち、部品検証部１９は、情報取得部２により取得された装置識別情報についての出荷情報の取得を保守情報検索要求部３に指示する。保守情報検索要求部３はこの指示に応じて、センタ装置２０７へと上記装置識別情報についての出荷情報の検索を要求する。この要求に応じて保守情報検索応答部８は、上記の要求に示された装置識別情報に関する出荷情報を部品出荷管理データベース７から抽出し、保守情報検索要求部３へ送信する。そこで保守情報検索要求部３は、この出荷情報を受信し、部品検証部１９へ与える。
【００８２】
ステップＳｄ６においては部品検証部１９が、配送部品の検証を行う。すなわち配送部品情報と出荷情報に含まれた部品情報とを照合する。配送部品が選択されたモダリティ１０４に装着するために発送されたものであるならば、両部品情報は一致するはずであるから、部品検証部１９はこのことを利用して、配送部品が選択されたモダリティ１０４に装着するためのものであるか否かを検証する。そしてステップＳｄ７において部品検証部１９は、両部品情報が一致するか否かを確認して、両部品情報が一致しないならば「不適合」とした検証結果を検証結果出力部５へ出力するが、両部品情報が一致するならば検証結果を出力せずに、ステップＳｄ７からステップＳｄ８へ移行する。
【００８３】
ステップＳｄ８においては部品検証部１９および保守情報検索要求部３が、ステップＳｄ１にて取得された装置識別情報に関する構成情報を取得する。すなわち、部品検証部１９は、情報取得部２により取得された装置識別情報についての構成情報の取得を保守情報検索要求部３に指示する。保守情報検索要求部３はこの指示に応じて、センタ装置２０７へと上記装置識別情報についての構成情報の検索を要求する。この要求に応じて保守情報検索応答部８は、上記の要求に示された装置識別情報に関する構成情報を装置構成管理データベース２０から抽出し、保守情報検索要求部３へ送信する。そこで保守情報検索要求部３は、この構成情報を受信し、部品検証部１９へ与える。
【００８４】
ステップＳｄ９においては部品検証部１９が、配送部品の装置適合性を検証する。すなわち部品検証部１９は、配送部品情報と構成情報に含まれた部品情報とを照合する。ただし構成情報に含まれた部品情報には、部品ＩＤのみ、あるいは部品ＩＤおよびレビジョン番号のみしか含まれないので、この部分のみを照合に用いる。そしてステップＳｄ９において部品検証部１９は、ステップＳｄ２で取得した部品情報と構成情報に含まれた部品情報のいずれかとが一致したか否かを確認する。すなわち、配送部品が選択されたモダリティ１０４に装着され得る種類の部品であるならば、配送部品の部品情報に含まれる部品ＩＤ、あるいは部品ＩＤおよびレビジョン番号が構成情報に記述されているはずであるから、部品検証部１９はこのことを利用して、配送部品が選択されているモダリティ１０４に装着することが適当な種類のものであるか否かを検証する。そしてステップＳｄ１０において部品検証部１９は、配送部品情報と構成情報に含まれた部品情報のいずれかとがするか否かを判断して、一致したならば「適合」とした検証結果を、またいずれの部品情報も一致しなかったならば「不適合」とした検証結果を検証結果出力部５へ出力する。
【００８５】
「適合」とされた検証結果が部品検証部１９より出力されたならば、ステップＳｄ１１において検証結果出力部５が、「配送部品が選択されているモダリティ１０４に適合すること」を通知するための表示を表示デバイス６に行なわせる。「不適合」とされた検証結果が部品検証部１９より出力されているならば、ステップＳｄ１２において検証結果出力部５が、「配送部品が選択されているモダリティ１０４に適合しないこと」を通知するための表示を表示デバイス６に行なわせる。このとき、「適合しないこと」のみを保守作業者が認識可能な表示を行っても良いが、ステップＳｄ７にて不適合であることが判定されている場合には、「配送部品が、選択されているモダリティ１０４に装着するために配送されたものではないこと」を、またステップＳｄ１０にて不適合であることが判定されている場合には、「配送部品が、選択されているモダリティ１０４に装着するために配送されたものではあるが、この配送部品は誤配送されたものである恐れがあること」をそれぞれ保守作業者が認識可能な表示を行うようにしても良い。  
以上の手順は図１０に示すようなシーケンスとなる。
【００８６】
表示デバイス６での表示により「配送部品が選択されているモダリティ１０４に適合すること」を認識した保守作業者は、部品の交換を実施する。すなわち、保守作業者は、既に装着されている配送部品と同種の部品をモダリティ１０４から取り外し、代わりに配送部品を装着する。そして保守作業者は、入力モードとして「取外し部品モード」を指定した上で、取り外した部品（以下、取外し部品と称する）の部品情報を入力デバイス１を用いて入力する。
【００８７】
このように新たに入力される部品情報は、情報取得部２によってステップＳｄ２にて取得される。そして入力モードとして「取外し部品モード」が指定されているならば、情報取得部２はステップＳｄ３からステップＳｄ１３へ進む。ステップＳｄ１３においては情報取得部２は、新たに取得した部品情報を取外し部品情報として保持する。
【００８８】
ステップＳｄ１４においては部品検証部１９および保守情報検索要求部３が、ステップＳｄ１にて取得された装置識別情報に関する既設品情報を取得する。すなわち、部品検証部１９は、情報取得部２により取得された装置識別情報についての既設品情報の取得を保守情報検索要求部３に指示する。保守情報検索要求部３はこの指示に応じて、センタ装置２０７へと上記装置識別情報についての既設品情報の検索を要求する。この要求に応じて保守情報検索応答部８は、上記の要求に示された装置識別情報に関する既設品情報を装置別部品管理データベース９から抽出し、保守情報検索要求部３へ送信する。そこで保守情報検索要求部３は、この既設品情報を受信し、部品検証部１９へ与える。
【００８９】
ステップＳｄ１５においては部品検証部１９が、取外し部品を検証する。すなわち部品検証部１９は、すなわち部品検証部１９は、配送部品情報と部品ＩＤのみ、あるいは部品ＩＤおよびレビジョン番号が一致する部品情報をステップＳｄ１２で取得した既設品情報から抽出する。そして部品検証部１９は、この既設品情報から抽出した部品情報と取外し部品情報とを比較する。取外し部品が配送部品と同種であるならば、部品情報の一致が生じるはずである。そこでステップＳｄ１６において部品検証部１９は、上記の比較に基づいて取外し部品が配送部品と同種であるか否かを確認し、その結果を示した検証結果を検証結果出力部５および保守情報送信部１１へ出力する。
【００９０】
検証結果が「同種ではない」とされているならば、ステップＳｄ１７において検証結果出力部５が、「交換が異常であること」を通知するための表示を表示デバイス６に行なわせる。そしてこの場合にメンテナンス装置１０８は、ステップＳｄ２以降の処理を繰り返す。従って保守作業者は、表示デバイス６での表示により「交換が異常であること」を認識したならば、配送部品の交換をやり直す。
【００９１】
これに対して検証結果が「同種」とされているならば、ステップＳｄ１８において検証結果出力部５が、「交換が正常に行われたこと」を通知するための表示を表示デバイス６に行わせる。そしてステップＳｄ１９において保守情報送信部１１が、今回の部品交換に関わる保守情報を送信する。保守情報には例えば、装置識別情報、新たに装着された部品（配送部品）の図番および部品情報、旧部品（取外し部品）の図番および部品情報、使用期限・使用回数などを含む。
【００９２】
保守情報は、保守情報受信部１４によって受信され、保守情報処理部１０へ与えられる。保守情報が与えられると保守情報処理部１０は、この保守情報に基づいて、装置別部品管理データベース９に記憶された既設品情報および履歴情報を更新する。  
以上の部品交換に関わる手順は図１１に示すようなシーケンスとなる。  
未交換部品の検索・警告の機能は、第４の実施形態と同様に実現される。
【００９３】
このように第５の実施形態では、第１乃至第４の実施形態で実現されているのと同様な機能を実現できるのに加えて、部品の交換が正常に行われたか否かを検証し、保守作業者に知らせることができる。このため保守作業者は、交換作業を誤った場合にそのことを確実に認識することができ、速やかに交換作業をやり直すことができる。そしてこの結果、モダリティ１０４に不適切な部品が装着されたままになってしまうことを防止することが可能となる。
【００９４】
この実施形態は、次のような種々の変形実施が可能である。  
出荷情報を配送部品とともに配送するようにしても良い。例えば、配送部品に貼り付けるバーコードやＩＣカードに出荷情報を含めたり、出荷情報を印刷した紙等の媒体を配送部品に同梱すれば良い。そして、保守作業者が入力デバイス１などを用いて配送部品に添付された出荷情報を読み取らせることにより、出荷情報を取得するようにすることができる。このようにすれば、ネットワーク３０１を使用しない運用が可能となる。  
入力デバイス１および表示デバイス６はメンテナンス装置１０１，１０５，１０６，１０７，１０８には備えずに、別体のデバイスを外付けしても良い。  
メンテナンス装置１０１，１０５，１０６，１０７，１０８の機能をモダリティ１０４に内蔵することも可能である。そしてこの場合に、内蔵先のモダリティ１０４に装着される部品の検証のみを行うようにするならば、装置識別情報に基づくモダリティ１０４の識別は省略することができる。  
検証結果の出力は表示デバイス６への表示や保守端末２０６への出力には限らず、プリンタなどを利用した別形態での可視出力、電子メール、ファクシミリ、選択呼出受信機などの通信媒体を利用した他端末での可視出力、パトロールライトなどを利用した発光による可視出力、スピーカや電話を利用した鳴動または音声による可聴出力、バイブレータなどを利用した振動出力などの種々の出力形態を任意に適用できる。  
部品出荷管理データベース７、装置別部品管理データベース９または装置構成管理データベース２０は、病院内に設置されても良い。このときに各データベースは、メンテナンス装置１０１，１０５，１０６，１０７，１０８に内蔵されても良いし、外付けとされても良い。  
未交換部品検出部１２および警告部１３は、メンテナンス装置１０７，１０８に設けられても良い。  
前述した各種の機能の起動を指示する保守作業者をパスワード等を用いて認証し、この認証に成功した場合にのみ各種の機能を実行するようにしても良い。  
管理対象とする医用装置は、ＣＴ装置、ＭＲＩ装置、あるいはＵＳ装置などのモダリティ１０４とは異なる種々の装置とすることができる。  
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９５】
【図１】本発明の第１の実施形態に係る管理装置を適用して構成された医用装置管理システムを示す図。
【図２】図１中のメンテナンス装置１０１による部品検証機能を実現するための処理手順を示すフローチャート。
【図３】第２の実施形態に係る管理装置を適用して構成された医用装置管理システムを示す図。
【図４】図３中のメンテナンス装置１０５による部品検証機能を実現するための処理手順を示すフローチャート。
【図５】第３の実施形態に係る管理装置を適用して構成された医用装置管理システムを示す図。
【図６】図５中のメンテナンス装置１０６による部品検証機能を実現するための処理手順を示すフローチャート。
【図７】第４の実施形態に係る管理装置を適用して構成された医用装置管理システムを示す図。
【図８】第５の実施形態に係る管理装置を適用して構成された医用装置管理システムを示す図。
【図９】図８中のメンテナンス装置１０８による部品検証機能を実現するための処理手順を示すフローチャート。
【図１０】部品検証機能を利用してモダリティ１０４の部品交換を行なう作業手順を示すシーケンス図。
【図１１】部品検証機能を利用してモダリティ１０４の部品交換を行なう作業手順を示すシーケンス図。
【符号の説明】
【００９６】
１…入力デバイス、２…情報取得部、３…保守情報検索要求部、４…部品検証部、５…検証結果出力部、６…表示デバイス、７…部品出荷管理データベース、８…保守情報検索応答部、９…装置別部品管理データベース、１０…保守情報処理部、１１…保守情報送信部、１２…未交換部品検出部、１３…警告部、１４…保守情報受信部、１５…入力情報送信部、１６…結果情報受信部、１７…入力情報受信部、１８…結果情報送信部、１９…部品検証部、２０…装置構成管理データベース、１０１，１０５，１０６，１０７，１０８…メンテナンス装置、１０４…モダリティ、２０１，２０４，２０５，２０７，２１０…センタ装置。
【図１】
2005352656.tif 000003
【図２】
2005352656.tif 000004
【図３】
2005352656.tif 000005
【図４】
2005352656.tif 000006
【図５】
2005352656.tif 000007
【図６】
2005352656.tif 000008
【図７】
2005352656.tif 000009
【図８】
2005352656.tif 000010
【図９】
2005352656.tif 000011
【図１０】
2005352656.tif 000012
【図１１】
2005352656.tif 000013